(57)【要約】【課題】  使用者が脚部を屈曲させる姿勢を取る場合に使用者に与えられる負担を効果的に軽減できるようにする。【解決手段】  使用者の脚部を屈曲姿勢に保持するために使用される屈曲姿勢保持具であって、使用者の大腿部Ａの背面に取り付けられる上方部材１と、下退部Ｂの背面に取り付けられる下方部材２と、上記上方部材１および下方部材２の両部材１，２を屈伸可能に連結する連結部材３とを有し、上記上方部材１に、両部材１，２を屈曲状態に保持する保持部材４を設けるとともに、上記下方部材２に、保持部材４の先端部１１に当接して両部材１，２の屈曲変位を規制する規制部材５を設けた。【選択図】      図１
2005329024.tif 000002
【特許請求の範囲】
【請求項１】
使用者の脚部を屈曲姿勢に保持するために使用される屈曲姿勢保持具であって、使用者の大腿部背面に取り付けられる上方部材と、下退部背面に取り付けられる下方部材と、上記上方部材および下方部材の両部材を屈伸可能に連結する連結部材とを有し、上記両部材の一方に、両部材を屈曲状態に保持する保持部材を設けるとともに、上記両部材の他方に、保持部材の先端部に当接して両部材の屈曲変位を規制する規制部材を設けたことを特徴とする屈曲姿勢保持具。
【請求項２】
上方部材および下方部材の一方に、保持部材を揺動可能に支持するとともに、この保持部材を上記両部材の一方に沿わせる方向に付勢する付勢手段を設け、両部材の他方に、両部材の屈曲動作に応じて上記保持部材の先端部を規制部材の設置部側に案内する案内部を設けたことを特徴とする請求項１に記載の屈曲姿勢保持具。
【請求項３】
使用者の足に装着される靴等の履物の上端部に、上方部材および下方部材の屈曲状態で下方部材の下端部に当接して下方部材を前傾状態に保持する保持部を設けたことを特徴とする請求項１または２に記載の屈曲姿勢保持具。
【発明の詳細な説明】
【技術分野】
【０００１】
本発明は、人形劇等に使用される着ぐるみを着用する場合等において、その使用者の脚部を屈曲姿勢に保持するために使用される屈曲姿勢保持具に関するものである。
【背景技術】
【０００２】
人形劇等に使用される着ぐるみは、そのキャラクターに対応した様々な大きさのものがあり、かわいらしさを表現するためにその上下寸法が極端に小さな値に設定される場合がある。このような着ぐるみを使用する場合、図５に示すように、使用者がその脚部を屈曲させて身体を屈めた状態で着ぐるみ２３を着用し、必要に応じて歩行する等の動作を行っていた。
【発明の開示】
【発明が解決しようとする課題】
【０００３】
上記のように使用者がその脚部を屈曲させて上下寸法が小さな値に設定された着ぐるみを着用した場合等には、使用者が無理な姿勢を強いられることにより、使用者の膝部等に大きな負荷が集中して作用し、自由な演技を行うことが困難であるという問題があった。
【０００４】
本発明は、上記の問題点に鑑みてなされたものであり、使用者が脚部を屈曲させる姿勢を取る場合に使用者の膝等に与えられる負荷を効果的に軽減することができる屈曲姿勢保持具を提供することを目的としている。
【課題を解決するための手段】
【０００５】
請求項１に係る発明は、使用者の脚部を屈曲姿勢に保持するために使用される屈曲姿勢保持具であって、使用者の大腿部背面に取り付けられる上方部材と、下退部背面に取り付けられる下方部材と、上記上方部材および下方部材の両部材を屈伸可能に連結する連結部材とを有し、上記両部材の一方に、両部材を屈曲状態に支持する保持部材を設けるとともに、上記両部材の他方に、保持部材の先端部に当接して両部材の屈曲変位を規制する規制部材を設けたものである。
【０００６】
請求項２に係る発明は、上記請求項１に記載の屈曲姿勢保持具において、上方部材および下方部材の一方に、保持部材を揺動可能に支持するとともに、この保持部材を上記両部材の一方に沿わせる方向に付勢する付勢手段を設け、上記両部材の他方に、両部材の屈曲動作に応じて上記保持部材の先端部を規制部材の設置部側に案内する案内部を設けたものである。
【０００７】
請求項３に係る発明は、上記請求項１または２に記載の屈曲姿勢保持具において、使用者の足に装着される靴等の履物の上端部に、上方部材および下方部材の屈曲状態で下方部材の下端部に当接して下方部材を前傾状態に保持する保持部を設けたものである。
【発明の効果】
【０００８】
上記請求項１に係る発明によれば、上方部材を使用者の大腿部背面に取り付けるとともに、下方部材を使用者の下退部背面に取り付けた状態で、使用者が脚部を屈曲させると、保持部材の先端部が規制部材に当接して上記上方部材および下方部材の屈曲変位が規制されるため、この上方部材および下方部材によって使用者の脚部が屈曲状態に保持されることになる。したがって、使用者の膝部等に大きな負荷が集中して作用するのを効果的に防止しつつ、脚部の屈曲姿勢を安定して保持できるという利点がある。
【０００９】
上記請求項２に係る発明によれば、屈曲姿勢保持具を着用した使用者が脚部を伸長させた起立姿勢では、付勢手段の付勢力に応じて保持部材が上方部材または下方部材の一方に沿った状態に支持されることになる。そして、使用者が脚部を屈曲させることにより上方部材および下方部材が伸長状態から屈曲状態に変位すると、この屈曲動作に応じて保持部材の先端部が案内部に沿って規制部材の設置部側に案内され、この規制部材に保持部材の先端部が当接して使用者の脚部が上記上方部材および下方部材により屈曲状態に保持された保持状態とすることができる。
【００１０】
上記請求項３に係る発明によれば、屈曲姿勢保持具を着用した使用者が脚部を屈曲させると、これに対応して下方部材の下端部が、使用者が装着した靴等の履物の保持部に当接して下方部材が前傾状態に保持されることになる。したがって、使用者が脚部を屈曲状態とした場合に、上記上方部材および下方部材に作用する荷重を、使用者の履物に入力して支持することにより、使用者の膝部等に集中して作用する負荷を、さらに効果的に軽減できるという利点がある。
【発明を実施するための最良の形態】
【００１１】
図１〜図３は、本発明の係る屈曲姿勢保持具の実施形態を示している。この屈曲姿勢保持具は、使用者の大腿部Ａの背面に取り付けられる上方部材１と、下退部Ｂの背面に取り付けられる下方部材２と、上記上方部材１および下方部材２を屈伸可能に連結するヒンジ金具からなる連結部材３とを有し、上方部材１には、両部材１，２を屈曲状態に支持する保持部材４が設けられるとともに、下方部材２には、保持部材４の先端部に当接して上方部材１および下方部材２の屈曲変位を規制する規制部材５が設けられている。
【００１２】
上方部材１は、アルミニウム合金等からなる左右一対のアングル材６と、両アングル材６を連結する連結プレート７と、使用者の大腿部Ａに締結される締結バンド８とを有している。上記アングル材６は、その全長が使用者の大腿部Ａに対応した値に設定され、両アングル材６の設置間隔が大腿部Ａの幅寸法に対応した値に設定されている。そして、上記両アングル材６のコーナ部が外方側に配設されるとともに、アングル材６の一側辺部が内方側に向けて突設され、かつその外面の所定位置に上記連結プレート７がねじ止めまたは溶接される等により、左右のアングル材６が一体に連結されている。
【００１３】
また、両アングル材６の下端部には、上記連結部材３を構成するヒンジ金具の取付板が固着され、その上方側には、上記保持部材４を揺動可能に支持するヒンジ金具の取付板が固着されるとともに、保持部材４を上方部材１の背面側に沿わせるように付勢するコイルばね等からなる付勢手段１０が設けられている。
【００１４】
上記保持部材４は、先端部に係止用突部１１が固着されたねじ軸１２と、このねじ軸１２が螺着されるとともに上記ヒンジ金具９の取付板に固着されたロングナット１３と、上記ねじ軸１２に螺着されてロングナット１３に圧接させることによりねじ軸１２をロングナット１３に固定するロックナット１４とを有している。そして、上記ロックナット１４を緩めた状態で、ねじ軸１２を回動操作して螺進させることにより、その突出長さが調節されるようになっている。
【００１５】
下方部材２は、上記上方部材１と同様にアルミニウム合金等からなる左右一対のアングル材１６と、両アングル材１６を連結する連結プレート１７と、使用者の下腿部Ｂに締結される締結バンド１８とを有している。上記アングル材１６は、その全長が使用者の下腿部Ｂに対応した値に設定され、かつ両アングル材１６の設置間隔が下腿部Ｂの幅寸法に対応した値に設定されている。そして、上記両アングル材１６のコーナ部が外方側に配設され、一側辺部が内方側に向けて突設されるとともに、その外面の所定位置に上記連結プレート１７がねじ止めまたは溶接される等により、左右のアングル材１６が一体に連結されている。
【００１６】
また、下方部材２を構成する両アングル材１６の下端部には、上記連結部材３の取付板が固着され、その下方側には、上方部材１および下方部材２の屈曲動作に応じて上記保持部材４の先端部を規制部材５の設置部側に案内する案内部１９が設けられている。この案内部１９は、上記連結部材３の取付板と、その下方に配設された連結プレート１７とに跨るように取り付けられたプレート材からなり、その外面の所定位置にブロック材からなる規制部材５が突設されている。
【００１７】
上記上方部材１および下方部材２を図２に示す伸長状態から、図３に示す屈曲状態に移行させる際に、付勢手段１０の付勢力に応じて上記保持部材４の係止用突部１１が案内部１９の外面に圧接された状態で、この案内部１９に沿って下方にスライド変位する。そして、上記規制部材５に保持部材４の係止用突部１１が当接した時点で、そのスライド変位が規制されるとともに、上方部材１および下方部材２の屈曲変位が規制されることにより、この両部材１，２の屈曲状態が上記保持部材４により保持されるようになっている。
【００１８】
また、上記締結バンド８，１８は、上方部材１および下方部材２にビス止めまたは接着等の手段で固着された帯状体からなり、それぞれ使用者の大腿部Ａおよび下腿部Ｂに巻き付けられた状態で、図示を省略した一対の面ファスナー等からなる止着手段により係脱可能に止着されるように構成されている。
【００１９】
図２および図３において、２０は、使用者の足に装着される靴等の履物を示し、この履物２０の上端部には前下がりの傾斜面２１が形成され、上記上方部材１および下方部材２の屈曲状態で、下方部材２の下端部、つまり上記両アングル材１６の下端面が上記傾斜面２１に当接することにより、下方部材２が前傾した状態に保持されるようになっている。また、上記履物２０の底部上面２２は、下退部Ｂを前傾させた使用者の体重を安定して支持できるように、前下がりの傾斜面に形成されている。
【００２０】
上記屈曲姿勢保持具を使用する場合には、締結バンド８，１８の止着手段を構成する一対の面ファスナーを剥離した状態で、上方部材１および下方部材２を使用者の大腿部Ａおよび下退部Ｂの背面側に宛うとともに、上記連結部材３のヒンジ軸を使用者の膝部背面に位置させるように設置高さを調節する。そして、上記締結バンド８，１８を、それぞれ使用者の大腿部Ａおよび下腿部Ｂに巻き付けて止着手段により止着することにより、上記屈曲姿勢保持具が使用者の脚部に装着されるようになっている。
【００２１】
そして、上記屈曲姿勢保持具を左右の脚部にそれぞれ装着した使用者が、脚部を屈曲させて身体を屈めると、図３に示すように、下退部Ｂが前傾姿勢となるとともに大腿部Ａが後傾姿勢となり、これに対応して上記上方部材１および下方部材２が連結部材３のヒンジ軸を支点に屈曲状態となって保持部材４の係止用突部１１が規制部材５に当接し、上方部材１および下方部材２が上記屈曲状態に保持されることになる。
【００２２】
上記屈曲姿勢保持具は、図４に示すように、かわいらしさ等を表現するために上下寸法が使用者の身長よりも小さな値に設定された上記着ぐるみ２３を着用する場合等に好適に使用される。すなわち、上記着ぐるみ２３は、使用者が脚部を折曲げるとともに上体を前傾することにより身体を屈めた状態で着用されるとともに、内部に設けられた吊下体２４を使用者の肩に掛けることにより支持されるように構成されている。なお、図４において２５は、上記吊下体２４による着ぐるみ２３の支持状態を安定させるための背負い板である。
【００２３】
上記のように使用者が脚部を屈めた状態では、通常、使用者の体重等からなる負荷がその膝部等に集中して作用することになるが、上記屈曲姿勢保持具を装着した場合には、その上方部材１および下方部材２に上記負荷を分散させることができるため、この負荷を脚部全体で安定して支持することができる。したがって、使用者がその脚部を折曲げることにより身体を屈めた状態で、着ぐるみ２３を着用した場合に、使用者の膝部等に作用する負荷を効果的に軽減することができるとともに、着ぐるみ２３を着用したまま歩行する等の演技をスムーズに行うことができるという利点がある。
【００２４】
特に、上記実施形態に示すように、使用者の足に装着される靴等の履物２０の上端部に、上方部材１および下方部材２の屈曲状態で、下方部材２の下端部に当接して下方部材２を前傾状態に保持する傾斜面２１からなる保持部を設けた場合には、使用者が脚部を屈曲状態とすることにより、上記上方部材１および下方部材２に作用する荷重を上記履物２０に入力して支持することができるため、使用者の膝部等に作用する負荷を、さらに効果的に軽減できるという利点がある。
【００２５】
また、上記実施形態では、上方部材１に保持部材４を揺動可能に支持するとともに、この保持部材４を上記上方部材１に沿わせる方向に付勢する付勢手段１０を設け、上記下方部材２に、上方部材１および下方部材２の屈曲動作に応じて上記保持部材４の先端部を規制部材５の設置部に向けて案内する案内部１９を設けたため、図３に示すように、屈曲姿勢保持具を着用した使用者が脚部を伸長させた場合に、付勢手段１０の付勢力に応じて保持部材４を上方部材１に沿わせた状態で支持することができる。
【００２６】
そして、使用者が脚部を屈曲させて上方部材１および下方部材２が伸長状態から屈曲状態に変位させるのに応じ、保持部材４の先端部を案内部１９に沿って規制部材５の設置部側に案内することにより、この規制部材５に保持部材４の先端部を当接させることができる。したがって、屈曲姿勢保持具を着用した使用者が脚部を伸長させた場合に、上記保持部材４が後方側に突出した状態となるのを防止できるとともに、使用者が脚部を屈曲状態とした場合に、上記上方部材１および下方部材２の屈曲変位を上記保持部材４によって規制し、この上方部材１および下方部材２により使用者の脚部に作用する負荷を軽減する保持状態に自動的に移行させることができるという利点がある。
【００２７】
また、上記実施形態では、保持部材４を構成するねじ軸１２をロングナット１３に螺着し、ねじ軸１２を螺進させて、その突出長さを調節し得るように構成したため、このねじ軸１２の突出量を調節することにより、上記保持部材４により規制される上方部材１および下方部材２の屈曲角度を、使用者の身長または着ぐるみ２３の上下寸法等に対応させて任意に変化させることができるという利点がある。
【００２８】
なお、保持部材４を上方部材１に設けるとともに、この保持部材４の先端部に当接して上方部材１および下方部材２の屈曲変位を規制する規制部材５を下方部材２に設けてなる上記実施形態に代え、保持部材４を下方部材２に設けるとともに、規制部材５を上方部材１に設けた構造としてもよい。
【００２９】
また、上記上方部材１または下方部材２の一方に、保持部材４を揺動可能に支持するとともに、上記両部材１，２の他方に、保持部材４をスライド可能に支持するガイド溝を設け、上記両部材１，２の屈曲動作に応じ、保持部材４を上記ガイド溝に沿ってスライド変位させるように構成してもよい。このように構成した場合には、上記付勢手段１０を設けることなく、保持部材４の先端部を両部材１，２の他方に沿わせた状態で支持することにより、保持部材４が上方部材１または下方部材２から離間した状態となるのを防止できるという利点がある。
【００３０】
上記実施形態では、アルミニウム合金製等からなるアングル材６，１６および連結プレート７，１７により上方部材１および下方部材２を構成した例について説明したが、この上方部材１および下方部材２の形状および構成素材等は上記実施形態に限定されることなく、種々の変形が可能である。例えば、上方部材１および下方部材２の一方または両方を木製の板材または棒状体により構成してもよい。
【００３１】
さらに、面ファスナー等からなる止着手段を備えた締結バンド８，１８により上方部材１および下方部材２を使用者の大腿部Ａおよび下退部Ｂに取り付けるように構成した上記実施形態に代え、上方部材１および下方部材２に固定された紐状体により、この上方部材１および下方部材２を使用者の大腿部Ａおよび下退部Ｂに縛り付けるようにして取り付けてもよく、あるいは上記上方部材１および下方部材２を取り付けるための帯状体等をズボン等の使用者の下体衣に予め縫着し、この下体衣を装着することにより上記上方部材１および下方部材２を使用者の大腿部Ａおよび下退部Ｂに取り付けるように構成してもよい。
【００３２】
なお、本発明に係る屈曲姿勢保持具は、上記着ぐるみ２３の着用時のみならず、歌舞伎、狂言等の演劇などにおいて長時間に亘り屈んだ状態で演技し、あるいは歩行する場合等にも用いることができるものである。
【図面の簡単な説明】
【００３３】
【図１】本発明に係る屈曲姿勢保持具の実施形態を示す斜視図である。
【図２】屈曲姿勢保持具を装着した状態を示す側面図である。
【図３】屈曲姿勢保持具の使用状態を示す側面図である。
【図４】屈曲姿勢保持具の使用者が着ぐるみを着用した状態を示す説明図である。
【図５】脚部を屈曲して着ぐるみを着用した状態を示す説明図である。
【符号の説明】
【００３４】
１  上方部材
２  下方部材
３  連結部材
４  保持部材
５  規制部材
１０  付勢手段
１１  係止用突部（規制部材の先端部）
１９  案内部
２０  履物
２１  傾斜面（保持部）
【図１】
2005329024.tif 000003
【図２】
2005329024.tif 000004
【図３】
2005329024.tif 000005
【図４】
2005329024.tif 000006
【図５】
2005329024.tif 000007